(57)【要約】【課題】粗巻き工程を省略して標識テープの巻き付けを粗巻き作業の代用とすることで、光ケーブルの製造を能率的に行い、かつリサイクルにおける作業負担も軽減できる押え巻きテープをスロット本体に被覆する方法を提供すること。【解決手段】光ファイバ収納溝１１に光ファイバを収納したスロット本体１２外周に押え巻きテープ１３を被覆する方法において、押え巻きテープ１３をスロット本体１２に縦添えしながらフォーマを介して押え巻きテープ１３をスロット本体１２に巻き付け、その後、標識テープ１７を一定ピッチで前記押え巻きテープ１３に巻き付けて該押え巻きテープを把持するようにすること。【選択図】　図２
2004012917.tif 000002
【特許請求の範囲】
【請求項１】
光ファイバ収納溝に光ファイバを収納したスロット本体外周に押え巻きテープを被覆する方法において、前記押え巻きテープを前記スロット本体に縦添えしながらフォーマを介して該押え巻きテープをスロット本体に巻き付け、その後、標識テープを一定ピッチで前記押え巻きテープに巻き付けて該押え巻きテープを把持するようにしたスロット本体外周に押え巻きテープを被覆する方法。
【請求項２】
粗巻き紐を使用することなく標識テープの巻き付けにより押え巻きテープをスロット本体外周に固定した光ファイバスロットケーブル。
【発明の詳細な説明】
【０００１】
【産業上の利用分野】
本発明は、光ファイバ収納溝に光ファイバを収納したスロット本体外周に押え巻きテープを被覆した光ファイバスロットケーブルに関する。
【０００２】
【従来の技術】
従来、光ファイバ収納溝に光ファイバを収納したスロット本体外周に押え巻きテープを被覆する方法として、図３に示すような押え巻きテープの被覆方法が知られていた。図３において、光ファイバを既に収納したスロット本体１が押え巻きテープで縦添えされながら矢印Ｘ方向に進行し、フォーマ２で押え巻きテープがスロット本体１に巻き付けられる。
【０００３】
この縦添えに巻き付けた押え巻きテープに、標識テープを添わせながらスロット１ａは口金３を介して粗巻き装置４に導入され、最終的にナイロン紐のごとき粗巻き紐で押え巻きテープと標識テープを剥がれないように巻き付けてスロット１ｂを得るようにしていた。
【０００４】
図４は押え巻きテープ５が粗巻き紐６で巻き付けられた状態を示した斜視図であり、押え巻きテープ５は粗巻き紐６により４５ｍｍで３本、即ち見かけ上の１ピッチが約１５ｍｍのピッチで巻き付けられている。
【０００５】
【発明が解決しようとする課題】
しかしながら従来の押え巻きテープの被覆方法は、粗巻きにナイロン紐等を使用しているために、リサイクルを目的とした光ケーブルの解体で、粗巻き紐を除去する作業は非常に手間がかかるものであった。また、粗巻き紐は１ピッチ当たり約１５ｍｍという細かい間隔で巻き付けなければならず、光ケーブル製造過程において、粗巻き作業工程が能率的に光ケーブルを製造する際のネックとなっていた。
【０００６】
本発明は、このような問題点に着目して成されたもので、粗巻き工程を省略して標識テープの巻き付けを粗巻き作業の代用とすることで、光ケーブルの製造を能率的に行い、かつリサイクルにおける作業負担も軽減できる押え巻きテープをスロット本体に被覆する方法、及び、そのケーブルを提供することを目的とする。
【０００７】
【課題を解決するための手段】
上記課題を解決するために、本発明のスロット本体外周に押え巻きテープを被覆する方法は、光ファイバ収納溝に光ファイバを収納したスロット本体外周に押え巻きテープを被覆する方法において、前記押え巻きテープを前記スロット本体に縦添えしながらフォーマを介して該押え巻きテープをスロット本体に巻き付け、その後、標識テープを一定ピッチで前記押え巻きテープに巻き付けて該押え巻きテープを把持するようにしたこと、及び、粗巻き紐を使用することなく標識テープの巻き付けにより押え巻きテープをスロット本体外周に固定した光ファイバスロットケーブルにある。
これによれば、フォーマを出た後に標識テープで押え巻きテープを一定ピッチで巻き付けるので、粗巻き作業と標識テープの付着作業が併用されているので光ケーブルの製造が能率的に行え、また、リサイクル時に従来使用していた粗巻き用のナイロン紐を使わなくてよいので、毛羽立ちのある面倒な粗巻き紐の取り外しをしなくてもすむ。
【０００８】
【発明の実施の形態】
以下、本発明の実施形態を図１及び図２に基づいて説明する。図１は本発明の押え巻きテープの被覆方法の概略工程図であり、図２は押え巻きテープの上に標識テープを一定ピッチで巻き付けた状態を示す斜視図である。
【０００９】
図１、図２において、光ファイバテープ心線１０を既に光ファイバ収納溝１１に収納したスロット本体１２に押え巻きテープ１３を縦添えさせながら矢印Ｘ方向に進行させて、フォーマ１４に導入させる。
【００１０】
押え巻きテープ１３がスロット本体１２に縦添えされて巻き付けられているスロット１２ａは口金１５を介して標識テープ巻き装置１６に導入される。この標識テープ巻き装置１６では、押え巻きテープ１３が剥がれないように、図２に示すように、標識テープ１７を一定の螺旋ピッチ間隔で押え巻きテープ１３の上から巻き付ける。これにより押え巻きテープ１３で被覆したスロット１２ｂを得る。
【００１１】
図２に示した標識テープ１７は約５ｍｍ幅のものであって、従来のナイロン紐と同じ間隔幅（１５ｍｍ）で巻くとすると、見かけ上のピッチは２０ｍｍとなり、巻き付け速度を高速化することができる。しかも粗巻きテープの代用をなしているテープは標識テープ１７であるから、新たに標識テープを巻く必要がない。
【００１２】
このように構成されている光ケーブルは、ある程度幅のある標識テープを用いているので、確実な巻き付けを確保でき、しかも長いピッチ幅で巻き付けることができるので光ケーブルの製造を能率的に行うことができる。しかも、リサイクルのための解体において、ナイロン紐の如く解体時に毛羽立つ恐れはないので、解体が容易にできる。
【００１３】
【発明の効果】
本発明は以下の効果を奏する。
【００１４】
（ａ）請求項１，請求項２の発明によれば、フォーマを出た後に標識テープで押え巻きテープを一定ピッチで巻き付けるので、粗巻き作業と標識テープの付着作業が併用されているので光ケーブルの製造が能率的に行え、また、リサイクル時に従来使用していた粗巻き用のナイロン紐を使わなくてよいので、毛羽立ちのある面倒な粗巻き紐の取り外しをしなくてもすむ。
【図面の簡単な説明】
【図１】本発明の押え巻きテープ被覆方法の概略工程図である。
【図２】押え巻きテープの上に標識テープを一定ピッチで巻き付けた状態を示す斜視図である。
【図３】スロット本体外周に押え巻きテープを被覆する従来の方法を示す概略工程図である。
【図４】従来工法により押え巻きテープが粗巻き紐で巻き付けられた状態を示す斜視図である。
【符号の説明】
１・・・スロット本体
１ａ・・・押え巻きテープのラップ部に標識テープを添わせたスロット
１ｂ・・・粗巻き紐でスロット１ａを巻き付けたスロット
２・・・フォーマ
３・・・口金
４・・・粗巻き装置
５・・・押え巻きテープ
６・・・粗巻き紐
１０・・・光ファイバテープ心線
１１・・・光ファイバ収納溝
１２・・・スロット本体
１２ａ・・・押え巻きテープが縦添えされたスロット
１２ｂ・・・標識テープがスロット１２ａに巻き付けられたスロット
１３・・・押え巻きテープ
１４・・・フォーマ
１５・・・口金
１６・・・標識テープ巻き装置
１７・・・標識テープ
Ｘ・・・光ファイバスロット製造工程におけるその進行方向
【図１】
2004012917.tif 000003
【図２】
2004012917.tif 000004
【図３】
2004012917.tif 000005
【図４】
2004012917.tif 000006